(57)【要約】【課題】Ｗｅｂページにおける配置変更が行われた場合にも、Ｗｅｂページにおける表示頻度の高い領域を確実に表示させる。【解決手段】無線端末１０において、プロセッサ１３は、指定Ｗｅｂページに含まれる、他のＷｅｂページとそれぞれリンク付けされた複数のオブジェクトと、各オブジェクトの過去の選択回数との対応関係に基づいて、指定Ｗｅｂページ内で表示基準となる基準オブジェクトを特定する。そして、プロセッサ１３は、指定Ｗｅｂページを表示メモリに展開し、表示メモリに展開された指定Ｗｅｂページにおいて基準オブジェクトを検索し、検索された基準オブジェクトを含む表示ウィンドウを表示メモリに設定する。【選択図】図１
2014119922.tif 000002
【特許請求の範囲】
【請求項１】
メモリと、
前記メモリに接続されたプロセッサと、
を具備し、
前記プロセッサは、
指定Ｗｅｂページに含まれ且つ他のＷｅｂページとリンク付けされた、各オブジェクトの過去の選択回数に基づいて、前記指定Ｗｅｂページ内で表示基準となる基準オブジェクトを特定し、
前記指定Ｗｅｂページを表示メモリに展開し、
前記表示メモリに展開された指定Ｗｅｂページにおいて前記基準オブジェクトを検索し、
前記検索された基準オブジェクトを含む表示ウィンドウを前記表示メモリに設定する、
表示制御処理を実行する、
ことを特徴とする表示制御装置。
【請求項２】
前記プロセッサは、前記指定Ｗｅｂページを、前記指定Ｗｅｂページが前回表示された際の拡大率に基づいて前記表示メモリに展開する、
ことを特徴とする請求項１に記載の表示制御装置。
【請求項３】
前記表示ウィンドウの設定では、前記表示ウィンドウが前記指定ウェブページの先頭に設定された後に、前記検索された基準オブジェクトを含む位置にスライドされる、
ことを特徴とする請求項１又は２に記載の表示制御装置。
【請求項４】
前記基準オブジェクトは、前記選択回数の最も多いオブジェクトである、
ことを特徴とする請求項１から３のいずれか一項に記載の表示制御装置。
【請求項５】
指定Ｗｅｂページに含まれ且つ他のＷｅｂページとリンク付けされた、各オブジェクトの過去の選択回数に基づいて、前記指定Ｗｅｂページ内で表示基準となる基準オブジェクトを特定し、
前記指定Ｗｅｂページを表示メモリに展開し、
前記表示メモリに展開された指定Ｗｅｂページにおいて前記基準オブジェクトを検索し、
前記検索された基準オブジェクトを含む表示ウィンドウを前記表示メモリに設定する、
ことを特徴とする表示制御方法。
【発明の詳細な説明】
【技術分野】
【０００１】
本発明は、表示制御装置及び表示制御方法に関する。
【背景技術】
【０００２】
従来、Ｗｅｂ（Ｗｏｒｌｄ  Ｗｉｄｅ  Ｗｅｂ）ページの一部が表示される際に最初に表示される領域（つまり、ホームポジション）の位置（つまり、座標）をユーザが登録しておき、そのＷｅｂページが指定されて表示されるときに、登録されたホームポジションが表示される技術がある。この技術を用いれば、ユーザが表示頻度の高い領域を予め記憶しておくことにより、その領域を優先的に表示させることができる。
【先行技術文献】
【特許文献】
【０００３】
【特許文献１】特開２００８−２６２３７１号公報
【発明の概要】
【発明が解決しようとする課題】
【０００４】
しかしながら、従来技術では、優先的に表示される領域がＷｅｂページ内の位置によって管理されているため、Ｗｅｂページにおける配置変更が行われると、ユーザが望んでいる領域が表示されない可能性がある。
【０００５】
開示の技術は、上記に鑑みてなされたものであって、Ｗｅｂページにおける配置変更が行われた場合にも、Ｗｅｂページにおける表示頻度の高い領域を確実に表示させることができる、表示制御装置及び表示制御方法を提供することを目的とする。
【課題を解決するための手段】
【０００６】
開示の態様では、指定Ｗｅｂページに含まれ且つ他のＷｅｂページとリンク付けされた、各オブジェクトの過去の選択回数に基づいて、前記指定Ｗｅｂページ内で表示基準となる基準オブジェクトを特定し、前記指定Ｗｅｂページを表示メモリに展開し、前記表示メモリに展開された指定Ｗｅｂページにおいて前記基準オブジェクトを検索し、前記検索された基準オブジェクトを含む表示ウィンドウを前記表示メモリに設定する。
【発明の効果】
【０００７】
開示の態様によれば、Ｗｅｂページにおける表示頻度の高い領域を確実に表示させることができる。
【図面の簡単な説明】
【０００８】
【図１】図１は、実施例１の無線端末の一例を示すブロック図である。
【図２】図２は、ＨＴＭＬによって記述された指定Ｗｅｂページの情報の一例を示す図である。
【図３】図３は、実施例１の対応テーブルの一例を示す図である。
【図４】図４は、実施例１の無線端末の処理動作の説明に供するフローチャートである。
【図５】図５は、基準オブジェクトの特定処理の一例を示すフローチャートである。
【図６】図６は、実施例２の対応テーブルの一例を示す図である。
【図７】図７は、実施例３のプロセッサの処理動作の説明に供する図である。
【図８】図８は、実施例３のプロセッサの処理動作の説明に供する図である。
【図９】図９は、実施例４の無線端末の処理動作の説明に供するフローチャートである。
【図１０】図１０は、ＨＴＭＬによって記述された指定Ｗｅｂページの情報の一例を示す図である。
【図１１】図１１は、第２の対応テーブルの一例を示す図である。
【図１２】図１２は、ＨＴＭＬファイルが表示メモリに展開された状態を示す図である。
【図１３】図１３は、オブジェクトに対応する矩形領域の説明に供する図である。
【図１４】図１４は、第３の対応テーブルの一例を示す図である。
【図１５】図１５は、表示ウィンドウの設定の説明に供する図である。
【図１６】図１６は、表示ウィンドウが設定された表示メモリの状況を示す図である。
【図１７】図１７は、設定された表示ウィンドウ内の画像が表示部に表示されている状況の一例を示す図である。
【図１８】図１８は、第３の対応テーブルの更新処理の説明に供するフローチャートである。
【発明を実施するための形態】
【０００９】
以下に、本願の開示する表示制御装置及び表示制御方法の実施形態を図面に基づいて詳細に説明する。なお、この実施形態では、表示制御装置が無線端末に適用される場合を例にとり説明を行うが、これに限定されるものではない。すなわち、この実施形態により本願の開示する表示制御装置及び表示制御方法が限定されるものではない。また、実施形態において同一の機能を有する構成には同一の符号を付し、重複する説明は省略される。
【００１０】
［実施例１］
［無線端末の構成］
図１は、実施例１の無線端末の一例を示すブロック図である。図１において、キー入力部１１と、表示部１２と、プロセッサ１３と、記憶部１４と、無線部１５と、マイク１６と、スピーカ１７と、オーディオ入出力部１８とを有する。
【００１１】
キー入力部１１は、ユーザの操作に応じた操作信号をプロセッサ１３へ出力する。
【００１２】
表示部１２は、プロセッサ１３によって表示メモリ上に展開され且つ表示ウィンドウ内に含まれる画像データを表示する。
【００１３】
プロセッサ１３は、キー入力部１１から指定信号を受け取ると、指定信号によって指定されている指定Ｗｅｂページの情報を無線通信によってサーバから取得する。指定Ｗｅｂページの情報は、例えば、ＨＴＭＬ（ＨｙｐｅｒＴｅｘｔ  Ｍａｒｋｕｐ  Ｌａｎｇｕａｇｅ）によって記述されている。図２は、ＨＴＭＬによって記述された指定Ｗｅｂページの情報の一例を示す図である。以下では、この指定Ｗｅｂページの情報は、ＨＴＭＬ情報と呼ばれることがある。
【００１４】
また、プロセッサ１３は、指定Ｗｅｂページの識別情報と、記憶部１４に記憶されている対応テーブルとに基づいて、基準オブジェクトを特定する。基準オブジェクトとは、指定Ｗｅｂページ内で表示基準となるオブジェクトである。オブジェクトは、例えば、テキスト、画像、又は、アイコン等である。実施例１の対応テーブルでは、図３に示すように、指定Ｗｅｂページの複数の候補と、各候補に含まれる複数のオブジェクトのそれぞれに対応する過去の選択回数とが対応付けられている。この対応テーブルは、以下では、第１の対応テーブルと呼ばれることがある。図３では、指定Ｗｅｂページの識別情報は、ＵＲＬ（Ｕｎｉｆｏｒｍ  Ｒｅｓｏｕｒｃｅ  Ｌｏｃａｔｏｒ）によって管理されている。
【００１５】
ここでは、基準オブジェクトとしては、第１の対応テーブルにおいて指定Ｗｅｂページと対応付けられた、指定回数の最も多いオブジェクトが選択される。
【００１６】
また、プロセッサ１３は、サーバから取得したＨＴＭＬ情報を、表示メモリ（図示せず）に展開する。そして、プロセッサ１３は、表示メモリ上に展開された指定Ｗｅｂページにおいて、特定された基準オブジェクトを検索する。これにより、表示メモリ上に展開された指定Ｗｅｂページにおける基準オブジェクトの位置が特定される。なお、サーバから取得されたＨＴＭＬ情報に、基準オブジェクトに関する情報が含まれていない場合、プロセッサ１３は、対応テーブルからその基準オブジェクトに関する情報を削除する。
【００１７】
そして、プロセッサ１３は、検索された基準オブジェクトの位置を含むように、表示ウィンドウを表示メモリに設定する。これにより、表示メモリ上に展開され且つ表示ウィンドウ内に含まれる情報が、表示部１２に表示される。なお、指定Ｗｅｂページの情報が対応テーブルに無い場合、当該指定Ｗｅｂページ、及び、当該指定Ｗｅｂページ内に含まれるオブジェクトに関する情報が、対応テーブルに追加される。また、その場合、表示ウィンドウは、指定Ｗｅｂページの先頭に設定される。
【００１８】
また、プロセッサ１３は、表示部１２に表示されたＷｅｂページ内のオブジェクトが、ユーザによるキー入力部１１の操作によって選択されると、選択されたオブジェクトの対応テーブルにおける選択回数をインクリメントする。
【００１９】
ここで、プロセッサ１３による処理は、記憶部１４に記憶されているプログラムに基づいて実行される。
【００２０】
記憶部１４は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等のＲＡＭ、ＲＯＭ（Ｒｅａｄ  Ｏｎｌｙ  Ｍｅｍｏｒｙ)、フラッシュメモリにより構成される。
【００２１】
オーディオ入出力部１８は、プロセッサ１３から受け取る音声データに基づいて、スピーカ１７に発音させる。また、オーディオ入出力部１８は、マイク１６を介して音声信号を取得し、プロセッサ１３へ出力する。
【００２２】
［無線端末の動作］
以上の構成を有する無線端末１０の動作について説明する。図４は、無線端末１０の処理動作の説明に供するフローチャートである。
【００２３】
無線端末１０においてプロセッサ１３は、キー入力部１１から指定信号を受け取ることにより、ページ指定を受け付ける（ステップＳ１０１）。そして、プロセッサ１３は、指定信号によって指定されている指定Ｗｅｂページの情報を、無線部１５を用いた無線通信によってサーバから取得する。
【００２４】
プロセッサ１３は、基準オブジェクトの特定処理を実行する（ステップＳ１０２）。基準オブジェクトの特定処理では、第１に、指定Ｗｅｂページの識別情報と、記憶部１４に記憶されている対応テーブルとに基づいて、基準オブジェクトが特定される。
【００２５】
図５は、基準オブジェクトの特定処理の一例を示すフローチャートである。
【００２６】
プロセッサ１３は、指定Ｗｅｂページに関する情報が対応テーブルに存在するか否かを判定する（ステップＳ２０１）。
【００２７】
存在すると判定された場合（ステップＳ２０１肯定）、プロセッサ１３は、対応テーブルから、指定Ｗｅｂページのオブジェクトの内で選択回数が最多のオブジェクトを基準オブジェクトとして特定する（ステップＳ２０２）。
【００２８】
プロセッサ１３は、特定された基準オブジェクトに関する情報がＨＴＭＬ情報の中に存在するか否かを判定する（ステップＳ２０３）。
【００２９】
存在しないと判定された場合（ステップＳ２０３否定）、プロセッサ１３は、対応テーブルから、特定された基準オブジェクトに関する情報を削除する（ステップＳ２０４）。
【００３０】
プロセッサ１３は、指定Ｗｅｂページのオブジェクトが対応テーブルに未だ残っているか否かを判定する（ステップＳ２０５）。残っている場合（ステップＳ２０５肯定）、処理はステップＳ２０２へ戻る。
【００３１】
なお、ステップＳ２０１で存在しないと判定された場合、ステップＳ２０３で存在すると判定された場合、又は、ステップＳ２０５で残っていないと判定された場合、基準オブジェクトの特定処理は終了する。
【００３２】
図４に戻り、プロセッサ１３は、サーバから取得したＨＴＭＬ情報を、表示メモリに展開する（ステップＳ１０３）。
【００３３】
プロセッサ１３は、表示メモリ上に展開された指定Ｗｅｂページにおいて、ステップＳ１０２で特定された基準オブジェクトを検索する（ステップＳ１０４）。なお、ステップＳ１０２で基準オブジェクトが特定されなかった場合には、プロセッサ１３は、ステップＳ１０４における基準オブジェクトの検索処理を行わずに、ステップＳ１０５における表示ウィンドウの設定処理を行う。
【００３４】
プロセッサ１３は、ステップＳ１０４で検索された基準オブジェクトの位置を含むように、表示ウィンドウを表示メモリに設定する（ステップＳ１０５）。なお、ステップＳ１０２で基準オブジェクトが特定されなかった場合には、プロセッサ１３は、表示メモリ上に展開された指定Ｗｅｂページの先頭に表示ウィンドウを設定する（ステップＳ１０５）。
【００３５】
このようにして、表示メモリ上に展開され且つ表示ウィンドウ内に含まれる情報が、表示部１２に表示される。
【００３６】
そして、表示部１２に表示されたＷｅｂページ内のオブジェクトが、ユーザによるキー入力部１１の操作によって選択されると、プロセッサ１３は、選択されたオブジェクトの対応テーブルにおける選択回数をインクリメントする。
【００３７】
以上のように本実施例によれば、無線端末１０において、プロセッサ１３は、対応関係に基づいて、指定Ｗｅｂページ内で表示基準となる基準オブジェクトを特定する。この対応関係とは、指定Ｗｅｂページに含まれる、他のＷｅｂページとそれぞれリンク付けされた複数のオブジェクトと、各オブジェクトの過去の選択回数との対応関係である。そして、プロセッサ１３は、指定Ｗｅｂページを表示メモリに展開し、表示メモリに展開された指定Ｗｅｂページにおいて基準オブジェクトを検索し、検索された基準オブジェクトを含む表示ウィンドウを表示メモリに設定する。
【００３８】
こうすることで、各オブジェクトの過去の選択回数に基づいて基準オブジェクトを特定するので、表示頻度の高いオブジェクトを特定することができる。また、指定Ｗｅｂページを表示メモリに展開し、表示メモリに展開された指定Ｗｅｂページにおいて基準オブジェクトを検索するので、Ｗｅｂページにおける配置変更が行われた場合にも、基準オブジェクトの位置を確実に特定できる。この結果、Ｗｅｂページにおける表示頻度の高い領域を確実に表示させることができる。
【００３９】
［実施例２］
実施例２では、第１の対応テーブルにおいて、指定Ｗｅｂページが前回表示された際の拡大率がさらに対応付けられる。なお、実施例２の無線端末の基本構成は、実施例１と同様であるので、図１を援用して本実施例を説明する。
【００４０】
実施例２の無線端末１０の記憶部１４は、第１の対応テーブルを記憶する。図６は、実施例２の対応テーブルの一例を示す図である。図６に示すように、実施例２の対応テーブルでは、指定Ｗｅｂページに含まれる、他のＷｅｂページとそれぞれリンク付けされた複数のオブジェクトと、各オブジェクトの過去の選択回数と、指定Ｗｅｂページが前回表示された際の拡大率とが対応付けられている。
【００４１】
そして、プロセッサ１３は、指定Ｗｅｂページを表示メモリに展開する際に、第１の対応テーブルにおいて指定Ｗｅｂページと対応付けられた拡大率によって指定Ｗｅｂページを展開する。
【００４２】
以上のように本実施例によれば、無線端末１０において、記憶部１４の対応テーブルでは、指定Ｗｅｂページに含まれる、他のＷｅｂページとそれぞれリンク付けされた複数のオブジェクトと、各オブジェクトの過去の選択回数と、指定Ｗｅｂページが前回表示された際の拡大率とが対応付けられている。そして、プロセッサ１３は、指定Ｗｅｂページを拡大率に基づいて表示メモリに展開する。そして、プロセッサ１３は、表示メモリに展開された指定Ｗｅｂページにおいて基準オブジェクトを検索し、検索された基準オブジェクトを含む表示ウィンドウを表示メモリに設定する。
【００４３】
こうすることで、基準オブジェクトを、ユーザの好みに合った拡大率で確実に表示させることができる。
【００４４】
なお、上記した例では、指定Ｗｅｂページ単位で拡大率が管理されているが、これに限定されるものではなく、オブジェクト単位で拡大率が管理されてもよい。すなわち、対応テーブルにおいて、指定Ｗｅｂページに含まれる、他のＷｅｂページとそれぞれリンク付けされた複数のオブジェクトと、各オブジェクトの過去の選択回数と、各オブジェクトが前回選択された際の拡大率とが対応付けられてもよい。
【００４５】
［実施例３］
実施例３では、表示ウィンドウの設定処理において自動スクロール処理が実行される。なお、実施例３の無線端末の基本構成は、実施例１と同様であるので、図１を援用して本実施例を説明する。
【００４６】
実施例３の無線端末１０のプロセッサ１３は、表示ウィンドウの設定処理では、表示ウィンドウを、表示メモリに展開された指定ウェブページの先頭に設定した後に、検索された基準オブジェクトを含む位置にスライドする。すなわち、プロセッサ１３は、表示ウィンドウの設定処理において自動スクロール処理を実行する。
【００４７】
図７、８は、実施例３のプロセッサの処理動作の説明に供する図である。図７、８において、Ａ３０１は、表示メモリのメモリ領域であり、Ｗ３０２は、設定された表示ウィンドウである。
【００４８】
実施例３の無線端末１０のプロセッサ１３は、まず、表示メモリに展開された指定Ｗｅｂページの先頭に、表示ウィンドウを設定する（図７参照）。
【００４９】
そして、プロセッサ１３は、指定Ｗｅｂページの先頭に設定された表示ウィンドウを、検索された基準オブジェクトを含む位置にスライドさせる。すなわち、特許ニュースが基準オブジェクトの場合、図８に示すように、特許ニュースを含む表示ウィンドウが設定される。
【００５０】
以上のように本実施例によれば、無線端末１０において、プロセッサ１３は、表示ウィンドウの設定処理では、表示ウィンドウを、指定ウェブページの先頭に設定した後に、検索された基準オブジェクトを含む位置にスライドさせる。
【００５１】
こうすることで、指定ウェブページの先頭から基準オブジェクトを含む位置に移動する過程を表示できるので、指定ウェブページの先頭と基準オブジェクトとの位置関係をユーザに認識させることができる。
【００５２】
［実施例４］
実施例４は、実施例１から３の無線端末１０における、ＨＴＭＬ情報の展開処理、基準オブジェクトの検索処理、表示ウィンドウの設定処理、及び、対応テーブルの更新処理の具体例に関する。なお、実施例４の無線端末の基本構成は、実施例１と同様であるので、図１を援用して本実施例を説明する。
【００５３】
＜ＨＴＭＬ情報の展開処理、基準オブジェクトの検索処理、及び表示ウィンドウの設定処理＞
図９は、実施例４の無線端末の処理動作の説明に供するフローチャートである。
【００５４】
実施例４の無線端末１０のプロセッサ１３は、キー入力部１１から指定信号を受け取ると、指定信号によって指定されている指定Ｗｅｂページの情報を無線通信によってサーバから取得する。指定Ｗｅｂページの情報は、ＨＴＭＬ（ＨｙｐｅｒＴｅｘｔ  Ｍａｒｋｕｐ  Ｌａｎｇｕａｇｅ）によって記述されている。すなわち、プロセッサ１３は、サーバからＨＴＭＬファイルを取得している。図１０は、ＨＴＭＬによって記述された指定Ｗｅｂページの情報の一例を示す図である。図１０において各オブジェクト、つまりアンカーは、ＵＲＬ（Ｕｎｉｆｏｒｍ  Ｒｅｓｏｕｒｃｅ  Ｌｏｃａｔｏｒ）を有している。そして、例えば、図１０における上から２番目のアンカーが有しているＵＲＬは、“gnews.news.com/geinou/20121114/ge001.htm”である。この内で、“gnews.news.com/geinou”は、第１階層ディレクトリであり、“gnews.news.com/geinou/20121114”は、第２階層ディレクトリである。第１階層ディレクトリは、オブジェクトの識別情報として用いられる。
【００５５】
そして、プロセッサ１３は、受信されたＨＴＭＬファイルに対応する、第２の対応テーブルを生成する（ステップＳ３０１）。第２の対応テーブルは、オブジェクト識別情報と、表示メモリ内の座標とが対応付けられるテーブルである。図１１は、オブジェクト識別情報と表示メモリ内の座標との対応テーブルの一例を示す図である。ただし、この段階では、ＨＴＭＬファイルに記載されている情報に基づいて、「矩形領域座標」及び「属性」以外の項目のみが登録される。
【００５６】
プロセッサ１３は、受信されたＨＴＭＬファイルを表示メモリに展開する（ステップＳ３０２）。図１２は、ＨＴＭＬファイルが表示メモリに展開された状態を示す図である。図１２には、図１０に示されるＨＴＭＬファイルが表示メモリに展開された状態が示されている。図１２において外枠の内側は、表示メモリのメモリ領域である。
【００５７】
プロセッサ１３は、図１２に示すような表示メモリに展開されたＨＴＭＬファイルを用いて、ＨＴＭＬファイルに含まれている各オブジェクトの属性、及び、各オブジェクトに対応する「矩形領域」の表示メモリ上の座標を特定する。そして、プロセッサ１３は、特定された各オブジェクトの属性及び「矩形領域座標」を、既に登録されている各オブジェクトの識別情報及びサブディレクトと対応づけて、第２の対応テーブルに登録する（ステップＳ３０３）。図１３は、オブジェクトに対応する矩形領域の説明に供する図である。図１３には、図１２と同様に、ＨＴＭＬファイルが表示メモリに展開されている。そして、図１３では、各オブジェクトを囲む矩形によって矩形領域が規定されている。そして、上記した矩形領域座標とは、例えば、矩形領域の対向する２頂点の表示メモリ上での座標である。ここでは、表示メモリのメモリ領域は、縦方向（つまりＹ軸方向）に８００座標、横方向（つまりＸ座標）に８００座標を有している。
【００５８】
プロセッサ１３は、ＨＴＭＬファイルの識別情報、つまり指定Ｗｅｂページの識別情報と、第３の対応テーブルとに基づいて、基準オブジェクトの識別情報を特定する（ステップＳ３０４）。第３の対応テーブルと第１の対応テーブルとは同等であるが、第３のテーブルでは、図１４に示すように、ＨＴＭＬファイル、つまり指定Ｗｅｂページの候補と、当該候補に含まれる各オブジェクトの識別情報に対応する過去の選択回数とが対応付けられている。ここでは、基準オブジェクトとしては、第３の対応テーブルにおいて指定Ｗｅｂページと対応付けられた、指定回数の最も多いオブジェクトが選択される。図１４では、オブジェクト識別情報が“gnews.news.com/patent”であるオブジェクト、つまり特許ニュースの選択回数が最も多いので、この特許ニュースが基準オブジェクトとして選択される。
【００５９】
プロセッサ１３は、特定された基準オブジェクトの識別情報と、第２の対応テーブルとに基づいて、基準オブジェクトに対応する矩形領域座標を特定する（ステップＳ３０５）。すなわち、図１１の第２の対応テーブルにおいて“gnews.news.com/patent”と対応付けられている（10,505）-（300,515）が矩形領域座標として特定される。
【００６０】
プロセッサ１３は、特定された矩形領域座標を含むように、表示ウィンドウを表示メモリに設定する（ステップＳ３０６）。具体的には、プロセッサ１３は、矩形領域座標が左上の頂点と右下の頂点の座標から成る場合、矩形領域の外に存在し且つ矩形領域の左上の頂点と所定の位置関係にある座標に表示ウィンドウの基準点を合わせることにより、表示ウィンドウを設定する。ここで、表示ウィンドウの基準点とは、例えば、矩形形状を有する表示ウィンドウの左上の頂点である。図１５は、表示ウィンドウの設定の説明に供する図である。図１５では、表示ウィンドウの基準点は、特定された矩形領域座標からＸ軸方向に１０、Ｙ軸方向に５だけずれた位置に、合わせられている。また、表示ウィンドウは、縦方向（つまりＹ軸方向）に２００座標、横方向（つまりＸ座標）に６００座標のサイズを有している。こうして表示ウィンドウが設定された表示メモリの状況が図１６に示されている。
【００６１】
プロセッサ１３は、設定された表示ウィンドウ内の画像を表示する（ステップＳ３０７）。具体的には、プロセッサ１３は、設定された表示ウィンドウ内の画像を表示メモリから複写し、当該複写された画像を表示部１２に表示させる。図１７は、設定された表示ウィンドウ内の画像が表示部に表示されている状況の一例を示す図である。
【００６２】
こうして表示部１２に表示された画像に対してユーザは拡大率を変更したり、当該画像に含まれるオブジェクトを選択して当該オブジェクトに対応するページに表示内容を遷移させたりする。このような操作が行われると、以下に説明する第３の対応テーブルの更新処理が開始される。
【００６３】
＜第３の対応テーブルの更新処理＞
図１８は、第３の対応テーブルの更新処理の説明に供するフローチャートである。
【００６４】
プロセッサ１３は、ユーザによるオブジェクト選択時の拡大率を第３の対応テーブルに設定する（ステップＳ４０１）。
【００６５】
プロセッサ１３は、選択されたオブジェクトに対応するＵＲＬディレクトリ（以下では「選択ＵＲＬディレクトリ」とよばれることある）が第３の対応テーブルにあるか判定する（ステップＳ４０２）。
【００６６】
選択ＵＲＬディレクトリが第３の対応テーブルにある場合（ステップＳ４０２肯定）、プロセッサ１３は、第３の対応テーブルで選択ＵＲＬディレクトリと対応付けられている選択回数をインクリメントする（ステップＳ４０３）。
【００６７】
選択ＵＲＬディレクトリが第３の対応テーブルにない場合（ステップＳ４０２否定）、プロセッサ１３は、選択ＵＲＬディレクトリが第１階層ＵＲＬであるか判定する（ステップＳ４０４）。
【００６８】
選択ＵＲＬディレクトリが第１階層ＵＲＬでない場合（ステップＳ４０４否定）、プロセッサ１３は、選択ＵＲＬディレクトリの第１階層ディレクトリを選択ＵＲＬディレクトリとする（ステップＳ４０５）。
【００６９】
プロセッサ１３は、ステップＳ４０５で変更された選択ＵＲＬディレクトリが第３の対応テーブルにあるか判定する（ステップＳ４０６）。
【００７０】
ステップＳ４０５で変更された選択ＵＲＬディレクトリが第３の対応テーブルにある場合（ステップＳ４０６肯定）、プロセッサ１３は、第３の対応テーブルで選択ＵＲＬディレクトリと対応付けられている選択回数をインクリメントする（ステップＳ４０３）。
【００７１】
ステップＳ４０５で変更された選択ＵＲＬディレクトリが第３の対応テーブルにない場合（ステップＳ４０６否定）、プロセッサ１３は、その選択ＵＲＬディレクトリを、オブジェクト識別情報として第３の対応テーブルに追加する（ステップＳ４０７）。
【００７２】
プロセッサ１３は、追加された選択ＵＲＬディレクトリに対応する選択回数を１に設定する（ステップＳ４０８）。
【００７３】
なお、選択ＵＲＬディレクトリが第１階層ＵＲＬである場合（ステップＳ４０４肯定）、プロセッサ１３は、ステップＳ４０７及びステップＳ４０８の処理を実行する。
【００７４】
以上のようにして、ＨＴＭＬ情報の展開処理、基準オブジェクトの検索処理、表示ウィンドウの設定処理、及び、対応テーブルの更新処理が実行される。
【００７５】
［他の実施例］
［１］実施例１から４では、無線通信によって指定Ｗｅｂページの情報を取得する場合を例にとり説明を行ったが、これに限定されるものではなく、有線通信によって取得されてもよい。
【００７６】
［２］実施例１から４では表示制御装置を無線端末に適用した場合を例にとり説明を行ったが、これに限定されるものではなく、実施例１から４で説明した表示制御装置は種々の電子機器に適用可能である。
【符号の説明】
【００７７】
１０  無線端末
１１  キー入力部
１２  表示部
１３  プロセッサ
１４  記憶部
１５  無線部
１６  マイク
１７  スピーカ
１８  オーディオ入出力部
【図１】
2014119922.tif 000003
【図２】
2014119922.tif 000004
【図３】
2014119922.tif 000005
【図４】
2014119922.tif 000006
【図５】
2014119922.tif 000007
【図６】
2014119922.tif 000008
【図７】
2014119922.tif 000009
【図８】
2014119922.tif 000010
【図９】
2014119922.tif 000011
【図１０】
2014119922.tif 000012
【図１１】
2014119922.tif 000013
【図１２】
2014119922.tif 000014
【図１３】
2014119922.tif 000015
【図１４】
2014119922.tif 000016
【図１５】
2014119922.tif 000017
【図１６】
2014119922.tif 000018
【図１７】
2014119922.tif 000019
【図１８】
2014119922.tif 000020